(57)【要約】      （修正有）【課題】外部光強度に従ってスクリーンに表示されるコンテンツの色を補償し、コンテンツの色歪みを防ぐ色較正方法を提供する。【解決手段】赤、緑及び青の３色のチャネルの放射エネルギをスクリーン反射率に従って得るステップと、スクリーンの各画素の赤、緑及び青の３色の現在自己発光エネルギをスクリーン輝度及びスクリーンの各画素の赤、緑及び青の３色のグレイスケール値に従って得るステップと、各画素の赤、緑及び青の３色の中で最低グレイスケール値を有する２色の補償に基づく自己発光エネルギを各画素の赤、緑及び青の３色のチャネルの放射エネルギ及び赤、緑及び青の３色の現在自己発光エネルギに従って得るステップと、２色の補償に基づくグレイスケール値を最低グレイスケール値を有する２色の補償に基づく自己発光エネルギに従って得るステップから成る色較正方法。【選択図】図１
2014067034.tif 000002
【特許請求の範囲】
【請求項１】
スクリーンの色を較正する方法であって、
赤色チャネル、緑色チャネル及び青色チャネルのチャネル読み込みデータ並びにスクリーン反射率に従って、前記赤色チャネル、前記緑色チャネル及び前記青色チャネルの放射エネルギを得るステップと、
スクリーン輝度並びにスクリーンの各画素の赤色グレイスケール値、緑色グレイスケール値及び青色グレイスケール値に従って、前記スクリーンの各画素の赤色、緑色及び青色の現在自己発光エネルギを得るステップと、
前記赤色チャネル、前記緑色チャネル及び前記青色チャネルの前記放射エネルギ並びに各画素の赤色、緑色及び青色の前記現在自己発光エネルギに従って、各画素の赤色、緑色及び青色の中で最低グレイスケール値を有する２色の補償に基づく自己発光エネルギを得るステップと、
前記最低グレイスケール値を有する２色の補償に基づく自己発光エネルギに従って、前記最低グレイスケール値を有する２色の補償に基づくグレイスケール値を得るステップと、
を有する方法。
【請求項２】
赤色チャネル、緑色チャネル及び青色チャネルのチャネル読み込みデータ並びにスクリーン反射率に従って、前記赤色チャネル、前記緑色チャネル及び前記青色チャネルの放射エネルギを得るステップは、
前記赤色チャネルのチャネル読み込みデータ、前記緑色チャネルのチャネル読み込みデータ及び前記青色チャネルのチャネル読み込みデータを得るステップと、前記スクリーン反射率を得るステップと、
前記赤色チャネルのチャネル読み込みデータと前記スクリーン反射率とを乗算することにより、前記赤色チャネルの放射エネルギを得るステップと、
前記緑色チャネルのチャネル読み込みデータと前記スクリーン反射率とを乗算することにより、前記緑色チャネルの放射エネルギを得るステップと、
前記青色チャネルのチャネル読み込みデータと前記スクリーン反射率とを乗算することにより、前記青色チャネルの放射エネルギを得るステップと、
を有する、請求項１に記載の方法。
【請求項３】
スクリーン輝度並びにスクリーンの各画素の赤色グレイスケール値、緑色グレイスケール値及び青色グレイスケール値に従って、前記スクリーンの各画素の赤色、緑色及び青色の現在自己発光エネルギを得るステップは、
前記スクリーン輝度を得て、前記スクリーンの各画素の赤色グレイスケール値、緑色グレイスケール値及び青色グレイスケール値を得るステップと、
前記スクリーン輝度、色グレイスケール値及び色自己発光エネルギのマッピングに従って、前記赤色グレイスケール値と関係する赤色の現在自己発光エネルギを得るステップと、
前記スクリーン輝度、前記色グレイスケール値及び前記色自己発光エネルギの前記マッピングに従って、前記緑色グレイスケール値と関係する緑色の現在自己発光エネルギを得るステップと、
前記スクリーン輝度、前記色グレイスケール値及び前記色自己発光エネルギのマッピングに従って、前記青色グレイスケール値と関係する青色の現在自己発光エネルギを得るステップと、を有し、
前記スクリーン輝度、前記色グレイスケール値及び前記色自己発光エネルギの前記マッピングは、ユーザ端末にプリセットされる、請求項１又は２に記載の方法。
【請求項４】
前記赤色チャネル、前記緑色チャネル及び前記青色チャネルの前記放射エネルギ並びに各画素の赤色、緑色及び青色の前記自己発光エネルギに従って、各画素の赤色、緑色及び青色の中で前記最低グレイスケール値を有する２色の補償に基づく自己発光エネルギを得るステップは、
前記スクリーンの各画素の前記赤色グレイスケール値、前記緑色グレイスケール値及び前記青色グレイスケール値を比較するステップと、
前記赤色グレイスケール値が最大である場合、第１の自己発光エネルギの式に従って、補償に基づく緑色自己発光エネルギを得て、第２の自己発光エネルギの式に従って、補償に基づく青色自己発光エネルギを得るステップであって、
前記第１の自己発光エネルギの式は次式を有し、
【数４６】
2014067034.tif 000048
Ｇｓ’は前記赤色グレイスケール値が最大であるときの前記補償に基づく緑色自己発光エネルギを示し、Ｇｓは現在緑色自己発光エネルギを示し、Ｒｓは前記現在赤色自己発光エネルギを示し、Ｒｒは前記赤色チャネルのチャネル読み込みデータを示し、Ｇｒは前記緑色チャネルのチャネル読み込みデータを示し、
前記第２の自己発光エネルギの式は次式を有し、
【数４７】
2014067034.tif 000049
Ｂｓ’は前記赤色グレイスケール値が最大であるときの前記補償に基づく青色自己発光エネルギを示し、Ｂｓは現在青色自己発光エネルギを示し、Ｇｓは前記現在緑色自己発光エネルギを示し、Ｇｒは前記緑色チャネルのチャネル読み込みデータを示し、Ｂｒは前記青色チャネルのチャネル読み込みデータを示す、ステップと、
前記緑色グレイスケール値が最大である場合、第３の自己発光エネルギの式に従って、前記補償に基づく赤色自己発光エネルギを得て、第４の自己発光エネルギの式に従って、前記補償に基づく青色自己発光エネルギを得るステップであって、
前記第３の自己発光エネルギの式は次式を有し、
【数４８】
2014067034.tif 000050
Ｒｓ’は前記緑色グレイスケール値が最大であるときの前記補償に基づく赤色自己発光エネルギを示し、Ｒｓは前記現在赤色自己発光エネルギを示し、Ｇｓは前記現在緑色自己発光エネルギを示し、Ｇｒは前記緑色チャネルのチャネル読み込みデータを示し、Ｒｒは前記青色チャネルのチャネル読み込みデータを示し、
前記第４の自己発光エネルギの式は次式を有し、
【数４９】
2014067034.tif 000051
Ｂｓ’は前記緑色グレイスケール値が最大であるときの前記補償に基づく青色自己発光エネルギを示し、Ｂｓは前記現在青色自己発光エネルギを示し、Ｇｓは前記現在緑色自己発光エネルギを示し、Ｇｒは前記緑色チャネルのチャネル読み込みデータを示し、Ｂｒは前記青色チャネルのチャネル読み込みデータを示す、ステップと、
前記青色グレイスケール値が最大である場合、第５の自己発光エネルギの式に従って、前記補償に基づく赤色自己発光エネルギを得て、第６の自己発光エネルギの式に従って、前記補償に基づく緑色自己発光エネルギを得るステップであって、
前記第５の自己発光エネルギの式は次式を有し、
【数５０】
2014067034.tif 000052
Ｒｓ’は前記緑色グレイスケール値が最大であるときの前記補償に基づく赤色自己発光エネルギを示し、Ｂｓは前記現在青色自己発光エネルギを示し、Ｒｓは前記現在赤色自己発光エネルギを示し、Ｒｒは前記赤色チャネルのチャネル読み込みデータを示し、Ｂｒは前記青色チャネルのチャネル読み込みデータを示し、
前記第６の自己発光エネルギの式は次式を有し、
【数５１】
2014067034.tif 000053
Ｒｓ’は前記青色グレイスケール値が最大であるときの前記補償に基づく赤色自己発光エネルギを示し、Ｂｓは前記現在青色自己発光エネルギを示し、Ｇｓは前記現在緑色自己発光エネルギを示し、Ｇｒは前記緑色チャネルのチャネル読み込みデータを示し、Ｂｒは前記青色チャネルのチャネル読み込みデータを示す、ステップと、を有する、請求項１乃至３のいずれか一項に記載の方法。
【請求項５】
前記最低グレイスケール値を有する２色の補償に基づく自己発光エネルギに従って、前記最低グレイスケール値を有する２色の補償に基づくグレイスケール値を得るステップは、
前記赤色グレイスケール値が最大である場合、前記補償に基づく緑色自己発光エネルギに従って及び緑色グレイスケールの式を用いることにより、補償に基づく緑色グレイスケール値を得て、前記補償に基づく青色自己発光エネルギに従って及び青色グレイスケールの式を用いることにより、補償に基づく青色グレイスケール値を得るステップと、
前記緑色グレイスケール値が最大である場合、前記補償に基づく赤色自己発光エネルギに従って及び赤色グレイスケールの式を用いることにより、補償に基づく赤色グレイスケール値を得て、前記補償に基づく青色自己発光エネルギに従って及び青色グレイスケールの式を用いることにより、補償に基づく青色グレイスケール値を得るステップと、
前記青色グレイスケール値が最大である場合、前記補償に基づく赤色自己発光エネルギに従って及び赤色グレイスケールの式を用いることにより、補償に基づく赤色グレイスケール値を得て、前記補償に基づく緑色自己発光エネルギに従って及び緑色グレイスケールの式を用いることにより、補償に基づく緑色グレイスケール値を得るステップと、を有し、
前記赤色グレイスケールの式は次式を有し、
【数５２】
2014067034.tif 000054
ここで、Ｒｓ’は前記補償に基づく赤色自己発光エネルギを示し、Ｒｓは前記赤色グレイスケール値を示し、Ｒ’は前記補償に基づく赤色グレイスケール値を示し、
前記緑色グレイスケールの式は次式を有し、
【数５３】
2014067034.tif 000055
ここで、Ｇｓ’は前記補償に基づく緑色自己発光エネルギを示し、Ｇｓは前記緑色グレイスケール値を示し、Ｇ’は前記補償に基づく緑色グレイスケール値を示し、
前記青色グレイスケールの式は次式を有し、
【数５４】
2014067034.tif 000056
ここで、Ｂｓ’は前記補償に基づく青色自己発光エネルギを示し、Ｂｓは前記青色グレイスケール値を示し、Ｂ’は前記補償に基づく青色グレイスケール値を示す、請求項１乃至４のいずれか一項に記載の方法。
【請求項６】
ユーザ端末であって、
ディスプレイパラメータ取得ユニットであって、赤色チャネル、緑色チャネル及び青色チャネルのチャネル読み込みデータ並びにスクリーン反射率に従って、前記赤色チャネル、前記緑色チャネル及び前記青色チャネルの放射エネルギを得て、前記赤色チャネル、前記緑色チャネル及び前記青色チャネルの放射エネルギを発光エネルギ補償ユニットへ送信するよう構成されるディスプレイパラメータ取得ユニットと、
輝度エネルギ取得ユニットであって、スクリーン輝度並びにスクリーンの各画素の赤色グレイスケール値、緑色グレイスケール値及び青色グレイスケール値に従って、前記スクリーンの各画素の赤色、緑色及び青色の現在自己発光エネルギを得て、各画素の赤色、緑色及び青色の前記現在自己発光エネルギを前記発光エネルギ補償ユニットへ送信するよう構成される輝度エネルギ取得ユニットと、
発光エネルギ補償ユニットであって、前記ディスプレイパラメータ取得ユニットから前記赤色チャネル、前記緑色チャネル及び前記青色チャネルの放射エネルギを受信し、前記発光エネルギ取得ユニットから各画素の赤色、緑色及び青色の前記現在自己発光エネルギを受信し、それらを前記発光エネルギ取得ユニットへ送信し、各画素の前記赤色チャネル、前記緑色チャネル及び前記青色チャネルの前記放射エネルギ並びに各画素の赤色、緑色及び青色の前記現在自己発光エネルギに従って、各画素の赤、緑、青の中で最低グレイスケール値を有する２色の補償に基づく自己発光エネルギを得て、前記最低グレイスケール値を有する２色の前記補償に基づく自己発光エネルギをグレイスケール値補償ユニットへ送信するよう構成される発光エネルギ補償ユニットと、
前記グレイスケール値補償ユニットであって、前記発光エネルギ補償ユニットから、最低グレイスケール値を有する２色の前記補償に基づく自己発光エネルギを受信し、最低グレイスケール値を有する２色の前記補償に基づく自己発光エネルギに従って、最低グレイスケール値を有する２色の補償に基づくグレイスケール値を得るよう構成されるグレイスケール値補償ユニットと、
を有するユーザ端末。
【請求項７】
前記ディスプレイパラメータ取得ユニットは、
チャネル読み込みデータ取得サブユニットであって、前記赤色チャネルのチャネル読み込みデータ、前記緑色チャネルのチャネル読み込みデータ及び前記青色チャネルのチャネル読み込みデータを得て、前記赤色チャネルのチャネル読み込みデータ、前記緑色チャネルのチャネル読み込みデータ及び前記青色チャネルのチャネル読み込みデータを放射エネルギ取得サブユニットへ送信するよう構成されるチャネル読み込みデータ取得サブユニットと、
反射率取得サブユニットであって、前記スクリーン反射率を得て、前記スクリーン反射率を前記放射エネルギ取得サブユニットへ送信するよう構成される反射率取得サブユニットと、
前記放射エネルギ取得サブユニットであって、前記チャネル読み込みデータ取得サブユニットから前記赤色チャネルのチャネル読み込みデータ、前記緑色チャネルのチャネル読み込みデータ及び前記青色チャネルのチャネル読み込みデータを受信し、前記反射率取得サブユニットから前記スクリーン反射率を受信し、前記赤色チャネルのチャネル読み込みデータと前記スクリーン反射率を乗算することにより、前記赤色チャネルの放射エネルギを得るよう構成される放射エネルギ取得サブユニットと、を有し、
前記放射エネルギ取得サブユニットは、前記緑色チャネルのチャネル読み込みデータと前記スクリーン反射率とを乗算することにより、前記緑色チャネルの放射エネルギを得るよう更に構成され、
前記放射エネルギ取得サブユニットは、前記青色チャネルのチャネル読み込みデータと前記スクリーン反射率とを乗算することにより、前記青色チャネルの放射エネルギを得るよう更に構成される、請求項６に記載のユーザ端末。
【請求項８】
前記発光エネルギ取得ユニットは、
グレイスケール値取得サブユニットであって、前記スクリーン輝度を得て、前記スクリーンの各画素の赤色グレイスケール値、緑色グレイスケール値及び青色グレイスケール値を得て、各画素の前記赤色グレイスケール値、前記緑色グレイスケール値及び前記青色グレイスケール値を自己発光エネルギ取得サブユニットへ送信するよう構成されるグレイスケール値取得サブユニットと、
前記自己発光エネルギ取得サブユニットであって、前記グレイスケール値取得サブユニットから各画素の赤色グレイスケール値、緑色グレイスケール値及び青色グレイスケール値を得て、前記スクリーン輝度、色グレイスケール値及び色自己発光エネルギのマッピングに従って、前記赤色グレイスケール値と関係する赤色の現在自己発光エネルギを得るよう構成される自己発光エネルギ取得サブユニットと、を有し、
前記自己発光エネルギ取得サブユニットは、前記スクリーン輝度、前記色グレイスケール値及び前記色自己発光エネルギの前記マッピングに従って、前記緑色グレイスケール値と関係する緑色の現在自己発光エネルギを得るよう更に構成され、
前記自己発光エネルギ取得サブユニットは、前記スクリーン輝度、前記色グレイスケール値及び前記色自己発光エネルギの前記マッピングに従って、前記青色グレイスケール値と関係する青色の現在自己発光エネルギを得るよう更に構成され、
前記スクリーン輝度、前記色グレイスケール値及び前記色自己発光エネルギの前記マッピングは、前記ユーザ端末にプリセットされる、請求項６又は７に記載のユーザ端末。
【請求項９】
前記発光エネルギ補償ユニットは、
前記スクリーンの各画素の前記赤色グレイスケール値、前記緑色グレイスケール値及び前記青色グレイスケール値を比較し、
前記赤色グレイスケール値が最大である場合、第１の自己発光エネルギの式に従って、補償に基づく緑色自己発光エネルギを得て、第２の自己発光エネルギの式に従って、補償に基づく青色自己発光エネルギを得て、
前記第１の自己発光エネルギの式は次式を有し、
【数５５】
2014067034.tif 000057
Ｇｓ’は前記赤色グレイスケール値が最大であるときの前記補償に基づく緑色自己発光エネルギを示し、Ｇｓは前記現在緑色自己発光エネルギを示し、Ｒｓは前記現在赤色自己発光エネルギを示し、Ｒｒは前記赤色チャネルのチャネル読み込みデータを示し、Ｇｒは前記緑色チャネルのチャネル読み込みデータを示し、
前記第２の自己発光エネルギの式は次式を有し、
【数５６】
2014067034.tif 000058
Ｂｓ’は前記赤色グレイスケール値が最大であるときの前記補償に基づく青色自己発光エネルギを示し、Ｂｓは前記現在青色自己発光エネルギを示し、Ｇｓは前記現在緑色自己発光エネルギを示し、Ｇｒは前記緑色チャネルのチャネル読み込みデータを示し、Ｂｒは前記青色チャネルのチャネル読み込みデータを示し、
前記緑色グレイスケール値が最大である場合、第３の自己発光エネルギの式に従って、前記補償に基づく赤色自己発光エネルギを得て、第４の自己発光エネルギの式に従って、前記補償に基づく青色自己発光エネルギを得て、
前記第３の自己発光エネルギの式は次式を有し、
【数５７】
2014067034.tif 000059
Ｒｓ’は前記緑色グレイスケール値が最大であるときの前記補償に基づく赤色自己発光エネルギを示し、Ｒｓは前記現在赤色自己発光エネルギを示し、Ｇｓは前記現在緑色自己発光エネルギを示し、Ｇｒは前記緑色チャネルのチャネル読み込みデータを示し、Ｒｒは前記青色チャネルのチャネル読み込みデータを示し、
前記第４の自己発光エネルギの式は次式を有し、
【数５８】
2014067034.tif 000060
Ｂｓ’は前記緑色グレイスケール値が最大であるときの前記補償に基づく青色自己発光エネルギを示し、Ｂｓは前記現在青色自己発光エネルギを示し、Ｇｓは前記現在緑色自己発光エネルギを示し、Ｇｒは前記緑色チャネルのチャネル読み込みデータを示し、Ｂｒは前記青色チャネルのチャネル読み込みデータを示し、
前記青色グレイスケール値が最大である場合、第５の自己発光エネルギの式に従って、前記補償に基づく赤色自己発光エネルギを得て、第６の自己発光エネルギの式に従って、前記補償に基づく緑色自己発光エネルギを得て、
前記第５の自己発光エネルギの式は次式を有し、
【数５９】
2014067034.tif 000061
Ｒｓ’は前記緑色グレイスケール値が最大であるときの前記補償に基づく赤色自己発光エネルギを示し、Ｂｓは前記現在青色自己発光エネルギを示し、Ｒｓは前記現在赤色自己発光エネルギを示し、Ｒｒは前記赤色チャネルのチャネル読み込みデータを示し、Ｂｒは前記青色チャネルのチャネル読み込みデータを示し、
前記第６の自己発光エネルギの式は次式を有し、
【数６０】
2014067034.tif 000062
Ｒｓ’は前記青色グレイスケール値が最大であるときの前記補償に基づく赤色自己発光エネルギを示し、Ｂｓは前記現在青色自己発光エネルギを示し、Ｇｓは前記現在緑色自己発光エネルギを示し、Ｇｒは前記緑色チャネルのチャネル読み込みデータを示し、Ｂｒは前記青色チャネルのチャネル読み込みデータを示す、ように構成される、請求項６乃至８のいずれか一項に記載のユーザ端末。
【請求項１０】
前記発光エネルギ補償ユニットは、
前記赤色グレイスケール値が最大である場合、前記補償に基づく緑色自己発光エネルギに従って及び緑色グレイスケールの式を用いることにより、前記補償に基づく緑色グレイスケール値を得て、前記補償に基づく青色自己発光エネルギに従って及び青色グレイスケールの式を用いることにより、前記補償に基づく青色グレイスケール値を得て、
前記緑色グレイスケール値が最大である場合、前記補償に基づく赤色自己発光エネルギに従って及び赤色グレイスケールの式を用いることにより、前記補償に基づく赤色グレイスケール値を得て、前記補償に基づく青色自己発光エネルギに従って及び青色グレイスケールの式を用いることにより、前記補償に基づく青色グレイスケール値を得て、
前記青色グレイスケール値が最大である場合、前記補償に基づく赤色自己発光エネルギに従って及び赤色グレイスケールの式を用いることにより、前記補償に基づく赤色グレイスケール値を得て、前記補償に基づく緑色自己発光エネルギに従って及び緑色グレイスケールの式を用いることにより、前記補償に基づく緑色グレイスケール値を得て、
前記赤色グレイスケールの式は次式を有し、
【数６１】
2014067034.tif 000063
ここで、Ｒｓ’は前記補償に基づく赤色自己発光エネルギを示し、Ｒｓは前記赤色グレイスケール値を示し、Ｒ’は前記補償に基づく赤色グレイスケール値を示し、
前記緑色グレイスケールの式は次式を有し、
【数６２】
2014067034.tif 000064
ここで、Ｇｓ’は前記補償に基づく緑色自己発光エネルギを示し、Ｇｓは前記緑色グレイスケール値を示し、Ｇ’は前記補償に基づく緑色グレイスケール値を示し、
前記青色グレイスケールの式は次式を有し、
【数６３】
2014067034.tif 000065
ここで、Ｂｓ’は前記補償に基づく青色自己発光エネルギを示し、Ｂｓは前記青色グレイスケール値を示し、Ｂ’は前記補償に基づく青色グレイスケール値を示す、よう構成される、請求項６乃至９のいずれか一項に記載のユーザ端末。
【発明の詳細な説明】
【技術分野】
【０００１】
本発明は、端末ディスプレイの分野に関し、特に色較正方法及びユーザ端末に関する。
【背景技術】
【０００２】
現在、大型スクリーンは、ユーザ端末の開発動向になっている。しかしながら、ユーザ端末のスクリーンの表示効果は、異なる照明条件で大きく変化する。特に日光の下では、強い光のために、ユーザはユーザ端末のスクリーンに表示されたコンテンツを明確に見ることが非常に困難になり、結果として粗悪なユーザ経験をもたらす。
【０００３】
従来技術では、ユーザ端末は、外部光強度に従って自身のスクリーン輝度を自動的に調整できるが、外部光が極めて強いとき、輝度の過剰調整により、ユーザ端末のスクリーンに表示されたコンテンツの色歪みが生じ、結果として更に粗悪なユーザ経験をもたらす。
【発明の概要】
【発明が解決しようとする課題】
【０００４】
本発明の実施形態は、色較正方法及びユーザ端末を提供し、外部光強度に従ってスクリーンに表示されるコンテンツの色を補償し、コンテンツの色歪みを防ぎ、ユーザ経験を向上することが可能である。
【課題を解決するための手段】
【０００５】
上述の目的を達成するため、本発明は、以下の技術的解決策を採用する。
【０００６】
第１の態様では、色較正方法が提供され、前記方法は、
赤色チャネル、緑色チャネル及び青色チャネルのチャネル読み込みデータ（channel  reading）並びにスクリーン反射率に従って、前記赤色チャネル、前記緑色チャネル及び前記青色チャネルの放射エネルギを得るステップと、
スクリーン輝度並びにスクリーンの各画素の赤色グレイスケール値、緑色グレイスケール値及び青色グレイスケール値に従って、前記スクリーンの各画素の赤色、緑色及び青色の現在自己発光エネルギを得るステップと、
前記赤色チャネル、前記緑色チャネル及び前記青色チャネルの前記放射エネルギ並びに各画素の赤色、緑色及び青色の前記現在自己発光エネルギに従って、各画素の赤色、緑色及び青色の中で最低グレイスケール値を有する２色の補償に基づく自己発光エネルギを得るステップと、
前記最低グレイスケール値を有する２色の補償に基づく自己発光エネルギに従って、前記最低グレイスケール値を有する２色の補償に基づくグレイスケール値を得るステップと、を有する。
【０００７】
第１の可能な実装方法では、第１の態様に関して、赤色チャネル、緑色チャネル及び青色チャネルのチャネル読み込みデータ並びにスクリーン反射率に従って、前記赤色チャネル、前記緑色チャネル及び前記青色チャネルの放射エネルギを得るステップは、
前記赤色チャネルのチャネル読み込みデータ、前記緑色チャネルのチャネル読み込みデータ及び前記青色チャネルのチャネル読み込みデータを得るステップと、前記スクリーン反射率を得るステップと、
前記赤色チャネルのチャネル読み込みデータと前記スクリーン反射率とを乗算することにより、前記赤色チャネルの放射エネルギを得るステップと、
前記緑色チャネルのチャネル読み込みデータと前記スクリーン反射率とを乗算することにより、前記緑色チャネルの放射エネルギを得るステップと、有する。
【０００８】
第２の可能な実装方法では、第１の態様又は第１の態様の第１の可能な実装方法に関して、スクリーン輝度並びにスクリーンの各画素の赤色グレイスケール値、緑色グレイスケール値及び青色グレイスケール値に従って、前記スクリーンの各画素の赤色、緑色及び青色の現在自己発光エネルギを得るステップは、前記スクリーン輝度を得て、前記スクリーンの各画素の赤色グレイスケール値、緑色グレイスケール値及び青色グレイスケール値を得るステップと、
前記スクリーン輝度、色グレイスケール値及び色自己発光エネルギのマッピングに従って、前記赤色グレイスケール値と関係のある赤色の現在自己発光エネルギを得るステップと、
前記スクリーン輝度、前記色グレイスケール値及び前記色自己発光エネルギの前記マッピングに従って、前記緑色グレイスケール値と関係のある緑色の現在自己発光エネルギを得るステップと、
前記スクリーン輝度、前記色グレイスケール値及び前記色自己発光エネルギのマッピングに従って、前記青色グレイスケール値と関係のある青色の現在自己発光エネルギを得るステップと、を有し、
前記スクリーン輝度、前記色グレイスケール値及び前記色自己発光エネルギの前記マッピングは、ユーザ端末にプリセットされる。
【０００９】
第３の可能な実装方法では、第１の態様又は第１の態様の第１の可能な実装方法又は第１の態様の第２の可能な実装方法に関して、前記赤色チャネル、前記緑色チャネル及び前記青色チャネルの前記放射エネルギ並びに各画素の赤色、緑色及び青色の前記自己発光エネルギに従って、各画素の赤色、緑色及び青色の中で前記最低グレイスケール値を有する２色の補償に基づく自己発光エネルギを得るステップは、
前記スクリーンの各画素の前記赤色グレイスケール値、前記緑色グレイスケール値及び前記青色グレイスケール値を比較するステップと、
前記赤色グレイスケール値が最大である場合、第１の自己発光エネルギの式に従って、補償に基づく緑色自己発光エネルギを得て、第２の自己発光エネルギの式に従って、補償に基づく青色自己発光エネルギを得るステップであって、ここで、
前記第１の自己発光エネルギの式は次式を有し、
【００１０】
【数１】
2014067034.tif 000003
Ｇｓ’は前記赤色グレイスケール値が最大であるときの前記補償に基づく緑色自己発光エネルギを示し、Ｇｓは前記現在緑色自己発光エネルギを示し、Ｒｓは前記現在赤色自己発光エネルギを示し、Ｒｒは前記赤色チャネルのチャネル読み込みデータを示し、Ｇｒは前記緑色チャネルのチャネル読み込みデータを示し、
前記第２の自己発光エネルギの式は次式を有し、
【００１１】
【数２】
2014067034.tif 000004
Ｂｓ’は前記赤色グレイスケール値が最大であるときの前記補償に基づく青色自己発光エネルギを示し、Ｂｓは前記現在青色自己発光エネルギを示し、Ｇｓは前記現在緑色自己発光エネルギを示し、Ｇｒは前記緑色チャネルのチャネル読み込みデータを示し、Ｂｒは前記青色チャネルのチャネル読み込みデータを示す、ステップと、
前記緑色グレイスケール値が最大である場合、第３の自己発光エネルギの式に従って、補償に基づく赤色自己発光エネルギを得て、第４の自己発光エネルギの式に従って、補償に基づく青色自己発光エネルギを得るステップであって、ここで、
前記第３の自己発光エネルギの式は次式を有し、
【００１２】
【数３】
2014067034.tif 000005
Ｒｓ’は前記緑色グレイスケール値が最大であるときの前記補償に基づく赤色自己発光エネルギを示し、Ｒｓは前記現在赤色自己発光エネルギを示し、Ｇｓは前記現在緑色自己発光エネルギを示し、Ｇｒは前記緑色チャネルのチャネル読み込みデータを示し、Ｒｒは前記青色チャネルのチャネル読み込みデータを示し、
前記第４の自己発光エネルギの式は次式を有し、
【００１３】
【数４】
2014067034.tif 000006
Ｂｓ’は前記緑色グレイスケール値が最大であるときの前記補償に基づく青色自己発光エネルギを示し、Ｂｓは前記現在青色自己発光エネルギを示し、Ｇｓは前記現在緑色自己発光エネルギを示し、Ｇｒは前記緑色チャネルのチャネル読み込みデータを示し、Ｂｒは前記青色チャネルのチャネル読み込みデータを示す、ステップと、
前記青色グレイスケール値が最大である場合、第５の自己発光エネルギの式に従って、補償に基づく赤色自己発光エネルギを得て、第６の自己発光エネルギの式に従って、補償に基づく緑色自己発光エネルギを得るステップであって、ここで、
前記第５の自己発光エネルギの式は次式を有し、
【００１４】
【数５】
2014067034.tif 000007
Ｒｓ’は前記緑色グレイスケール値が最大であるときの前記補償に基づく赤色自己発光エネルギを示し、Ｂｓは前記現在青色自己発光エネルギを示し、Ｒｓは前記現在赤色自己発光エネルギを示し、Ｒｒは前記赤色チャネルのチャネル読み込みデータを示し、Ｂｒは前記青色チャネルのチャネル読み込みデータを示す、ステップと、
前記第６の自己発光エネルギの式は次式を有し、
【００１５】
【数６】
2014067034.tif 000008
Ｒｓ’は前記青色グレイスケール値が最大であるときの前記補償に基づく赤色自己発光エネルギを示し、Ｂｓは前記現在青色自己発光エネルギを示し、Ｇｓは前記現在緑色自己発光エネルギを示し、Ｇｒは前記緑色チャネルのチャネル読み込みデータを示し、Ｂｒは前記青色チャネルのチャネル読み込みデータを示す、ステップと、を有する。
【００１６】
第４の可能な実装方法では、第１の態様又は第１の態様の第１の可能な実装方法又は第１の態様の第２の可能な実装方法に関して、最低グレイスケール値を有する２色の補償に基づく自己発光エネルギに従って、前記最低グレイスケール値を有する２色の補償に基づくグレイスケール値を得るステップは、
前記赤色グレイスケール値が最大である場合、前記補償に基づく緑色自己発光エネルギに従って及び緑色グレイスケールの式を用いることにより、補償に基づく緑色グレイスケール値を得て、前記補償に基づく青色自己発光エネルギに従って及び青色グレイスケールの式を用いることにより、補償に基づく青色グレイスケール値を得るステップと、
前記緑色グレイスケール値が最大である場合、前記補償に基づく赤色自己発光エネルギに従って及び赤色グレイスケールの式を用いることにより、補償に基づく赤色グレイスケール値を得て、前記補償に基づく青色自己発光エネルギに従って及び青色グレイスケールの式を用いることにより、補償に基づく青色グレイスケール値を得るステップと、
前記青色グレイスケール値が最大である場合、前記補償に基づく赤色自己発光エネルギに従って及び赤色グレイスケールの式を用いることにより、補償に基づく赤色グレイスケール値を得て、前記補償に基づく緑色自己発光エネルギに従って及び緑色グレイスケールの式を用いることにより、補償に基づく緑色グレイスケール値を得るステップと、を有し、
前記赤色グレイスケールの式は、次式を有し、
【００１７】
【数７】
2014067034.tif 000009
ここで、Ｒｓ’は前記補償に基づく赤色自己発光エネルギを示し、Ｒｓは前記赤色グレイスケール値を示し、Ｒ’は前記補償に基づく赤色グレイスケール値を示し、
前記緑色グレイスケールの式は、次式を有し、
【００１８】
【数８】
2014067034.tif 000010
ここで、Ｇｓ’は前記補償に基づく緑色自己発光エネルギを示し、Ｇｓは前記緑色グレイスケール値を示し、Ｇ’は前記補償に基づく緑色グレイスケール値を示し、
前記青色グレイスケールの式は、次式を有し、
【００１９】
【数９】
2014067034.tif 000011
ここで、Ｂｓ’は前記補償に基づく青色自己発光エネルギを示し、Ｂｓは前記青色グレイスケール値を示し、Ｂ’は前記補償に基づく青色グレイスケール値を示す。
【００２０】
第２の態様では、ユーザ端末が提供され、前記ユーザ端末は、
ディスプレイパラメータ取得ユニットであって、赤色チャネル、緑色チャネル及び青色チャネルのチャネル読み込みデータ並びにスクリーン反射率に従って、前記赤色チャネル、前記緑色チャネル及び前記青色チャネルの放射エネルギを得て、前記赤色チャネル、前記緑色チャネル及び前記青色チャネルの放射エネルギを発光エネルギ補償ユニットへ送信するよう構成されるディスプレイパラメータ取得ユニットと、
輝度エネルギ取得ユニットであって、スクリーン輝度並びにスクリーンの各画素の赤色グレイスケール値、緑色グレイスケール値及び青色グレイスケール値に従って、前記スクリーンの各画素の赤色、緑色及び青色の現在自己発光エネルギを得て、各画素の赤色、緑色及び青色の前記現在自己発光エネルギを前記発光エネルギ補償ユニットへ送信するよう構成される輝度エネルギ取得ユニットと、
発光エネルギ補償ユニットであって、前記ディスプレイパラメータ取得ユニットから前記赤色チャネル、前記緑色チャネル及び前記青色チャネルの放射エネルギを受信し、前記発光エネルギ取得ユニットから各画素の赤色、緑色及び青色の前記現在自己発光エネルギを受信し、それらを前記発光エネルギ取得ユニットへ送信し、各画素の前記赤色チャネル、前記緑色チャネル及び前記青色チャネルの前記放射エネルギ並びに各画素の赤色、緑色及び青色の前記現在自己発光エネルギに従って、各画素の赤、緑、青の中で最低グレイスケール値を有する２色の補償に基づく自己発光エネルギを得て、前記最低グレイスケール値を有する２色の前記補償に基づく自己発光エネルギをグレイスケール値補償ユニットへ送信するよう構成される発光エネルギ補償ユニットと、
前記グレイスケール値補償ユニットであって、前記発光エネルギ補償ユニットから、最低グレイスケール値を有する２色の前記補償に基づく自己発光エネルギを受信し、最低グレイスケール値を有する２色の前記補償に基づく自己発光エネルギに従って、最低グレイスケール値を有する２色の補償に基づくグレイスケール値を得るよう構成されるグレイスケール値補償ユニットと、を有する。
【００２１】
第１の可能な実装方法では、第２の態様に関し、前記ディスプレイパラメータ取得ユニットは、
チャネル読み込みデータ取得サブユニットであって、前記赤色チャネルのチャネル読み込みデータ、前記緑色チャネルのチャネル読み込みデータ及び前記青色チャネルのチャネル読み込みデータを得て、前記赤色チャネルのチャネル読み込みデータ、前記緑色チャネルのチャネル読み込みデータ及び前記青色チャネルのチャネル読み込みデータを放射エネルギ取得サブユニットへ送信するよう構成されるチャネル読み込みデータ取得サブユニットと、
反射率取得サブユニットであって、前記スクリーン反射率を得て、前記スクリーン反射率を前記放射エネルギ取得サブユニットへ送信するよう構成される反射率取得サブユニットと、
前記放射エネルギ取得サブユニットであって、前記チャネル読み込みデータ取得サブユニットから前記赤色チャネルのチャネル読み込みデータ、前記緑色チャネルのチャネル読み込みデータ及び前記青色チャネルのチャネル読み込みデータを受信し、前記反射率取得サブユニットから前記スクリーン反射率を受信し、前記赤色チャネルのチャネル読み込みデータと前記スクリーン反射率を乗算することにより、前記赤色チャネルの放射エネルギを得るよう構成される放射エネルギ取得サブユニットと、を有し、
前記放射エネルギ取得サブユニットは、前記緑色チャネルのチャネル読み込みデータと前記スクリーン反射率とを乗算することにより、前記緑色チャネルの放射エネルギを得るよう更に構成され、
前記放射エネルギ取得サブユニットは、前記青色チャネルのチャネル読み込みデータと前記スクリーン反射率とを乗算することにより、前記青色チャネルの放射エネルギを得るよう更に構成される。
【００２２】
第２の可能な実装方法では、第２の態様の第１の可能な実装方法に関し、前記発光エネルギ取得ユニットは、
グレイスケール値取得サブユニットであって、前記スクリーン輝度を得て、前記スクリーンの各画素の赤色グレイスケール値、緑色グレイスケール値及び青色グレイスケール値を得て、各画素の前記赤色グレイスケール値、前記緑色グレイスケール値及び前記青色グレイスケール値を自己発光エネルギ取得サブユニットへ送信するよう構成されるグレイスケール値取得サブユニットと、
前記自己発光エネルギ取得サブユニットであって、前記グレイスケール値取得サブユニットから各画素の赤色グレイスケール値、緑色グレイスケール値及び青色グレイスケール値を得て、前記スクリーン輝度、色グレイスケール値及び色自己発光エネルギのマッピングに従って、前記赤色グレイスケール値と関係する赤色の現在自己発光エネルギを得るよう構成される自己発光エネルギ取得サブユニットと、を有し、
前記自己発光エネルギ取得サブユニットは、前記スクリーン輝度、前記色グレイスケール値及び前記色自己発光エネルギの前記マッピングに従って、前記緑色グレイスケール値と関係する緑色の現在自己発光エネルギを得るよう更に構成され、
前記自己発光エネルギ取得サブユニットは、前記スクリーン輝度、前記色グレイスケール値及び前記色自己発光エネルギの前記マッピングに従って、前記青色グレイスケール値と関係する青色の現在自己発光エネルギを得るよう更に構成され、
前記スクリーン輝度、前記色グレイスケール値及び前記色自己発光エネルギの前記マッピングは、前記ユーザ端末にプリセットされる。
【００２３】
第３の可能な実装方法では、第２の態様又は第２の態様の第１の可能な実装方法又は第２の態様の第２の可能な実装方法に関し、前記発光エネルギ補償ユニットは、特に、
前記スクリーンの各画素の前記赤色グレイスケール値、前記緑色グレイスケール値及び前記青色グレイスケール値を比較し、
赤色グレイスケール値が最大である場合、第１の自己発光エネルギの式に従って、補償に基づく緑色自己発光エネルギを得て、第２の自己発光エネルギの式に従って、補償に基づく青色自己発光エネルギを得て、ここで、
前記第１の自己発光エネルギの式は次式を有し、
【００２４】
【数１０】
2014067034.tif 000012
Ｇｓ’は前記赤色グレイスケール値が最大であるときの前記補償に基づく緑色自己発光エネルギを示し、Ｇｓは前記現在緑色自己発光エネルギを示し、Ｒｓは前記現在赤色自己発光エネルギを示し、Ｒｒは前記赤色チャネルのチャネル読み込みデータを示し、Ｇｒは前記緑色チャネルのチャネル読み込みデータを示し、
前記第２の自己発光エネルギの式は次式を有し、
【００２５】
【数１１】
2014067034.tif 000013
Ｂｓ’は前記赤色グレイスケール値が最大であるときの前記補償に基づく青色自己発光エネルギを示し、Ｂｓは前記現在青色自己発光エネルギを示し、Ｇｓは前記現在緑色自己発光エネルギを示し、Ｇｒは前記緑色チャネルのチャネル読み込みデータを示し、Ｂｒは前記青色チャネルのチャネル読み込みデータを示し、
前記緑色グレイスケール値が最大である場合、第３の自己発光エネルギの式に従って、補償に基づく赤色自己発光エネルギを得て、第４の自己発光エネルギの式に従って、補償に基づく青色自己発光エネルギを得て、
前記第３の自己発光エネルギの式は次式を有し、
【００２６】
【数１２】
2014067034.tif 000014
Ｒｓ’は前記緑色グレイスケール値が最大であるときの前記補償に基づく赤色自己発光エネルギを示し、Ｒｓは前記現在赤色自己発光エネルギを示し、Ｇｓは前記現在緑色自己発光エネルギを示し、Ｇｒは前記緑色チャネルのチャネル読み込みデータを示し、Ｒｒは前記青色チャネルのチャネル読み込みデータを示し、
前記第４の自己発光エネルギの式は次式を有し、
【００２７】
【数１３】
2014067034.tif 000015
Ｂｓ’は前記緑色グレイスケール値が最大であるときの前記補償に基づく青色自己発光エネルギを示し、Ｂｓは前記現在青色自己発光エネルギを示し、Ｇｓは前記現在緑色自己発光エネルギを示し、Ｇｒは前記緑色チャネルのチャネル読み込みデータを示し、Ｂｒは前記青色チャネルのチャネル読み込みデータを示し、
前記青色グレイスケール値が最大である場合、第５の自己発光エネルギの式に従って、補償に基づく赤色自己発光エネルギを得て、第６の自己発光エネルギの式に従って、補償に基づく緑色自己発光エネルギを得て、
前記第５の自己発光エネルギの式は次式を有し、
【００２８】
【数１４】
2014067034.tif 000016
Ｒｓ’は前記緑色グレイスケール値が最大であるときの前記補償に基づく赤色自己発光エネルギを示し、Ｂｓは前記現在青色自己発光エネルギを示し、Ｒｓは前記現在赤色自己発光エネルギを示し、Ｒｒは前記赤色チャネルのチャネル読み込みデータを示し、Ｂｒは前記青色チャネルのチャネル読み込みデータを示し、
前記第６の自己発光エネルギの式は次式を有し、
【００２９】
【数１５】
2014067034.tif 000017
Ｒｓ’は前記赤色グレイスケール値が最大であるときの前記補償に基づく赤色自己発光エネルギを示し、Ｂｓは前記現在青色自己発光エネルギを示し、Ｇｓは前記現在緑色自己発光エネルギを示し、Ｇｒは前記緑色チャネルのチャネル読み込みデータを示し、Ｂｒは前記青色チャネルのチャネル読み込みデータを示す、よう構成される。
【００３０】
第４の可能な実装方法では、第２の態様又は第２の態様の第１の可能な実装方法又は第２の態様の第２の可能な実装方法に関し、前記グレイスケール値補償ユニットは、特に、
前記赤色グレイスケール値が最大である場合、前記補償に基づく緑色自己発光エネルギに従って及び緑色グレイスケールの式を用いることにより、前記補償に基づく緑色グレイスケール値を得て、前記補償に基づく青色自己発光エネルギに従って及び青色グレイスケールの式を用いることにより、前記補償に基づく青色グレイスケール値を得て、
前記緑色グレイスケール値が最大である場合、前記補償に基づく赤色自己発光エネルギに従って及び赤色グレイスケールの式を用いることにより、前記補償に基づく赤色グレイスケール値を得て、前記補償に基づく青色自己発光エネルギに従って及び青色グレイスケールの式を用いることにより、前記補償に基づく青色グレイスケール値を得て、
前記青色グレイスケール値が最大である場合、補償に基づく赤色自己発光エネルギに従って及び赤色グレイスケールの式を用いることにより、補償に基づく赤色グレイスケール値を得て、補償に基づく緑色自己発光エネルギに従って及び緑色グレイスケールの式を用いることにより、補償に基づく緑色グレイスケール値を得て、
前記赤色グレイスケールの式は、次式を有し、
【００３１】
【数１６】
2014067034.tif 000018
ここで、Ｒｓ’は前記補償に基づく赤色自己発光エネルギを示し、Ｒｓは前記赤色グレイスケール値を示し、Ｒ’は前記補償に基づく赤色グレイスケール値を示し、
前記緑色グレイスケールの式は、次式を有し、
【００３２】
【数１７】
2014067034.tif 000019
ここで、Ｇｓ’は前記補償に基づく緑色自己発光エネルギを示し、Ｇｓは前記緑色グレイスケール値を示し、Ｇ’は前記補償に基づく緑色グレイスケール値を示し、
前記青色グレイスケールの式は、次式を有し、
【００３３】
【数１８】
2014067034.tif 000020
ここで、Ｂｓ’は前記補償に基づく青色自己発光エネルギを示し、Ｂｓは前記青色グレイスケール値を示し、Ｂ’は前記補償に基づく青色グレイスケール値を示す、よう構成される。
【００３４】
本発明の実施形態は、色較正方法及びユーザ端末を提供する。当該方法及びユーザ端末において、赤色、緑色及び青色のチャネル放射エネルギ、並びにスクリーン反射率が得られ、スクリーンの各画素の赤色、緑色及び青色の現在自己発光エネルギが得られ、次に、赤色、緑色及び青色のチャネル放射エネルギと、各画素の赤色、緑色及び青色の現在自己発光エネルギとに従って、各画素の最低グレイスケール値を有する２色の補償に基づくグレイスケール値が得られる。これにより、スクリーンに表示されたコンテンツの色は、外部光強度に従って補正され、それにより、コンテンツの色歪みを防ぎ、ユーザ経験を向上させることができる。
【図面の簡単な説明】
【００３５】
本発明の実施形態の又は従来技術の技術的解決策をより明確に説明するために、実施形態又は従来技術の説明に必要な図面が以下の通り導入される。明らかなことに、以下の説明中の添付の図面は、本発明のほんの一部の実施形態であり、これらの図面に従って当業者により創造的労力を有しないで他の図面も得られる。
【図１】本発明の実施形態による色較正方法の概略的フローチャートである。
【図２】本発明の別の実施形態による色較正方法の概略的フローチャートである。
【図３】本発明の更に別の実施形態によるユーザ端末の概略的構造図である。
【図４】本発明の更に別の実施形態によるユーザ端末の概略的構造図である。
【図５】本発明の更に別の実施形態によるユーザ端末の概略的構造図である。
【図６】本発明の更に別の実施形態によるユーザ端末の概略的構造図である。
【発明を実施するための形態】
【００３６】
以下に、本発明の実施形態の添付の図面を参照して、本発明の実施形態における技術的解決策を明確且つ十分に説明する。明らかに、記載される実施形態は、本発明の実施形態の一部のみであり、全ての実施形態ではない。本発明の実施形態に基づき創造的労力を有しないで当業者により得られる全ての他の実施形態は、本発明の保護範囲に包含される。
【００３７】
本発明の一実施形態は、色較正方法を提供する。方法は、ユーザ端末により実行される。図１に示すように、方法は以下のステップを含む。
【００３８】
Ｓ１０１：赤色チャネル、緑色チャネル及び青色チャネルのチャネル読み込みデータ（channel  reading）並びにスクリーン反射率に従って、赤色チャネル、緑色チャネル及び青色チャネルの放射エネルギを得る。
【００３９】
Ｓ１０２：スクリーン輝度、並びにスクリーンの各画素の赤色グレイスケール値、緑色グレイスケール値及び青色グレイスケール値に従って、スクリーンの各画素の赤色、緑色及び青色の現在自己発光エネルギを得る。
【００４０】
Ｓ１０３：赤色チャネル、緑色チャネル及び青色チャネルの放射エネルギ、並びに各画素の赤色、緑色及び青色の現在自己発光エネルギに従って、各画素の赤色、緑色及び青色の中で最低グレイスケール値を有する２つの色の補償に基づく自己発光エネルギを得る。
【００４１】
Ｓ１０４：最低グレイスケール値を有する２つの色の補償に基づく自己発光エネルギに従って、最低グレイスケール値を有する２つの色の補償に基づくグレイスケール値を得る。
【００４２】
本発明の一実施形態は、色較正方法を提供する。当該方法において、赤色、緑色及び青色のチャネル放射エネルギ、並びにスクリーン反射率が得られ、スクリーンの各画素の赤色、緑色及び青色の現在自己発光エネルギが得られ、次に、赤色、緑色及び青色のチャネル放射エネルギと、各画素の赤色、緑色及び青色の現在自己発光エネルギとに従って、各画素の最低グレイスケール値を有する２色の補償に基づくグレイスケール値が得られる。これにより、スクリーンに表示されたコンテンツの色は、外部光強度に従って補正され、それにより、コンテンツの色歪みを防ぎ、ユーザ経験を向上させることができる。
【００４３】
本発明の別の実施形態は、色較正方法を提供する。方法は、ユーザ端末により実行される。図２に示すように、方法は以下のステップを含む。
【００４４】
Ｓ２０１：赤色チャネル、緑色チャネル及び青色チャネルのチャネル読み込みデータを得て、スクリーン反射率に従って、赤色チャネル、緑色チャネル及び青色チャネルの放射エネルギを得る。
【００４５】
この特定の実装方法は、以下を有し得る。
【００４６】
先ず、ユーザ端末内のＲＧＢ（Red  Green  Blue、red  green  blue）センサを用いることにより、赤色チャネルのチャネル読み込みデータ、緑色チャネルのチャネル読み込みデータ及び青色チャネルのチャネル読み込みデータを得て、スクリーン反射率を得るステップ、
同様に、赤色チャネルのチャネル読み込みデータとスクリーン反射率とを乗算することにより、赤色チャネルの放射エネルギを得るステップ、
緑色チャネルのチャネル読み込みデータとスクリーン反射率とを乗算することにより、緑色チャネルの放射エネルギを得るステップ、
青色チャネルのチャネル読み込みデータとスクリーン反射率とを乗算することにより、青色チャネルの放射エネルギを得るステップ。
【００４７】
Ｓ２０２：輝度エネルギ取得ユニットは、スクリーン輝度、並びにスクリーンの各画素の赤色グレイスケール値、緑色グレイスケール値及び青色グレイスケール値を得て、スクリーンの各画素の赤色、緑色及び青色の現在自己発光エネルギを得る。
【００４８】
この特定の実装方法は、以下を有し得る。
【００４９】
先ず、スクリーン輝度を得て、スクリーンの各画素の赤色グレイスケール値、緑色グレイスケール値及び青色グレイスケール値を得るステップ、
次に、スクリーン輝度、色グレイスケール値及び色自己発光エネルギのマッピングに従って、赤色グレイスケール値と関係する赤色の自己発光エネルギを得るステップ、
次に、スクリーン輝度、色グレイスケール値及び色自己発光エネルギのマッピングに従って、緑色グレイスケール値と関係する緑色の自己発光エネルギを得るステップ、
スクリーン輝度、色グレイスケール値及び色自己発光エネルギのマッピングに従って、青色グレイスケール値と関係する青色の自己発光エネルギを得るステップ、
スクリーン輝度、色グレイスケール値及び色自己発光エネルギのマッピングは、ユーザ端末にプリセットされる。
【００５０】
Ｓ２０３：輝度エネルギ補償ユニットは、赤色チャネル、緑色チャネル及び青色チャネルの放射エネルギ、並びに各画素の赤色、緑色及び青色の現在自己発光エネルギに従って、各画素の赤色、緑色及び青色の中で最低グレイスケール値を有する２つの色の補償に基づき自己発光エネルギを得る。
【００５１】
この特定のステップは、以下を有し得る。
【００５２】
Ｓ２０３１：スクリーンの各画素の赤色グレイスケール値、緑色グレイスケール値及び青色グレイスケール値を比較するステップ。
【００５３】
Ｓ２０３２：赤色グレイスケール値が最大である場合、第１の自己発光エネルギの式に従って、補償に基づく緑色自己発光エネルギを得て、第２の自己発光エネルギの式に従って、補償に基づく青色自己発光エネルギを得る。
【００５４】
第１の自己発光エネルギの式は次式を有する。
【００５５】
【数１９】
2014067034.tif 000021
ここで、Ｇｓ’は、赤色グレイスケール値が最大のときの補償に基づく緑色自己発光エネルギを示す。Ｇｓは、現在緑色自己発光エネルギを示す。Ｒｓは、現在赤色自己発光エネルギを示す。Ｒｒは、赤色チャネルのチャネル読み込みデータを示す。Ｇｒは、緑色チャネルのチャネル読み込みデータを示す。
【００５６】
第２の自己発光エネルギの式は次式を有する。
【００５７】
【数２０】
2014067034.tif 000022
ここで、Ｂｓ’は、赤色グレイスケール値が最大のときの補償に基づく青色自己発光エネルギを示す。Ｂｓは、現在青色自己発光エネルギを示す。Ｇｓは、現在緑色自己発光エネルギを示す。Ｇｒは、緑色チャネルのチャネル読み込みデータを示す。Ｂｒは、青色チャネルのチャネル読み込みデータを示す。
【００５８】
Ｓ２０３３：緑色グレイスケール値が最大である場合、第３の自己発光エネルギの式に従って、補償に基づく赤色自己発光エネルギを得て、第４の自己発光エネルギの式に従って、補償に基づく青色自己発光エネルギを得る。
【００５９】
第３の自己発光エネルギの式は次式を有する。
【００６０】
【数２１】
2014067034.tif 000023
ここで、Ｒｓ’は、緑色グレイスケール値が最大のときの補償に基づく赤色自己発光エネルギを示す。Ｒｓは、現在赤色自己発光エネルギを示す。Ｇｓは、現在緑色自己発光エネルギを示す。Ｇｒは、緑色チャネルのチャネル読み込みデータを示す。Ｒｒは、青色チャネルのチャネル読み込みデータを示す。
【００６１】
第４の自己発光エネルギの式は次式を有する。
【００６２】
【数２２】
2014067034.tif 000024
ここで、Ｂｓ’は、緑色グレイスケール値が最大のときの補償に基づく赤色自己発光エネルギを示す。Ｂｓは、現在青色自己発光エネルギを示す。Ｇｓは、現在緑色自己発光エネルギを示す。Ｇｒは、緑色チャネルのチャネル読み込みデータを示す。Ｂｒは、青色チャネルのチャネル読み込みデータを示す。
【００６３】
Ｓ２０３４：青色グレイスケール値が最大である場合、第５の自己発光エネルギの式に従って、補償に基づく赤色自己発光エネルギを得て、第６の自己発光エネルギの式に従って、補償に基づく緑色自己発光エネルギを得る。
【００６４】
第５の自己発光エネルギの式は次式を有する。
【００６５】
【数２３】
2014067034.tif 000025
ここで、Ｒｓ’は、緑色グレイスケール値が最大のときの補償に基づく赤色自己発光エネルギを示す。Ｂｓは、現在青色自己発光エネルギを示す。Ｒｓは、現在赤色自己発光エネルギを示す。Ｒｒは、赤色チャネルのチャネル読み込みデータを示す。Ｂｒは、青色チャネルのチャネル読み込みデータを示す。
【００６６】
第６の自己発光エネルギの式は次式を有する。
【００６７】
【数２４】
2014067034.tif 000026
ここで、Ｒｓ’は、青色グレイスケール値が最大のときの補償に基づく赤色自己発光エネルギを示す。Ｂｓは、現在青色自己発光エネルギを示す。Ｇｓは、現在緑色自己発光エネルギを示す。Ｇｒは、緑色チャネルのチャネル読み込みデータを示す。Ｂｒは、青色チャネルのチャネル読み込みデータを示す。
【００６８】
Ｓ２０４：最低グレイスケール値を有する２つの色の補償に基づく自己発光エネルギに従って、最低グレイスケール値を有する２つの色の補償に基づくグレイスケール値を得る。
【００６９】
この特定のステップは、以下を有し得る。
【００７０】
Ｓ２０４１：赤色グレイスケール値が最大である場合、補償に基づく緑色自己発光エネルギに従って及び緑色グレイスケールの式を用いることにより、補償に基づく緑色グレイスケール値を得て、補償に基づく青色自己発光エネルギに従って及び青色グレイスケールの式を用いることにより、補償に基づく青色グレイスケール値を得る。
【００７１】
Ｓ２０４２：緑色グレイスケール値が最大である場合、補償に基づく赤色自己発光エネルギに従って及び赤色グレイスケールの式を用いることにより、補償に基づく赤色グレイスケール値を得て、補償に基づく青色自己発光エネルギに従って及び青色グレイスケールの式を用いることにより、補償に基づく青色グレイスケール値を得る。
【００７２】
Ｓ２０４３：青色グレイスケール値が最大である場合、補償に基づく赤色自己発光エネルギに従って及び赤色グレイスケールの式を用いることにより、補償に基づく赤色グレイスケール値を得て、補償に基づく緑色自己発光エネルギに従って及び緑色グレイスケールの式を用いることにより、補償に基づく緑色グレイスケール値を得る。
【００７３】
赤色グレイスケールの式は、次の通りである。
【００７４】
【数２５】
2014067034.tif 000027
ここで、Ｒｓ’は、補償に基づく赤色自己発光エネルギを示す。Ｒｓは、赤色グレイスケール値を示す。
Ｒ’は、補償に基づく赤色グレイスケール値を示す。
【００７５】
緑色グレイスケールの式は、次の通りである。
【００７６】
【数２６】
2014067034.tif 000028
ここで、Ｇｓ’は、補償に基づく緑色自己発光エネルギを示す。Ｇｓは、緑色グレイスケール値を示す。Ｇ’は、補償に基づく緑色グレイスケール値を示す。
【００７７】
青色グレイスケールの式は、次の通りである。
【００７８】
【数２７】
2014067034.tif 000029
ここで、Ｂｓ’は、補償に基づく青色自己発光エネルギを示す。Ｂｓは、青色グレイスケール値を示す。Ｂ’は、補償に基づく青色グレイスケール値を示す。
【００７９】
最終的に、補償に基づく赤、緑、青色のグレイスケール値を得た後、ユーザ端末は、補償に基づくグレイスケール値をスクリーンディスプレイ制御部へ送信する。これにより、スクリーン制御部は、補償に基づくグレイスケール値に従って対応する色を表示する、このように、スクリーンに表示されたコンテンツの色は、外部光強度に従って補償される。
【００８０】
本発明の一実施形態は、色較正方法を提供する。当該方法において、赤色、緑色及び青色のチャネル放射エネルギ、並びにスクリーン反射率が得られ、スクリーンの各画素の赤色、緑色及び青色の現在自己発光エネルギが得られ、次に、赤色、緑色及び青色のチャネル放射エネルギと、各画素の赤色、緑色及び青色の現在自己発光エネルギとに従って、各画素の最低グレイスケール値を有する２色の補償に基づくグレイスケール値が得られる。これにより、スクリーンに表示されたコンテンツの色は、外部光強度に従って補正され、それにより、コンテンツの色歪みを防ぎ、ユーザ経験を向上させることができる。
【００８１】
本発明の別の実施形態は、図３に示すようなユーザ端末１を提供する。ユーザ端末１は、以下を有する：
ディスプレイパラメータ取得ユニット１１であって、赤色チャネル、緑色チャネル及び青色チャネルのチャネル読み込みデータ並びにスクリーン反射率に従って、赤色チャネル、緑色チャネル及び青色チャネルの放射エネルギを得て、赤色チャネル、緑色チャネル及び青色チャネルの放射エネルギを発光エネルギ補償ユニット１３へ送信するよう構成されるディスプレイパラメータ取得ユニット１１と、
輝度エネルギ取得ユニット１２であって、スクリーン輝度並びにスクリーンの各画素の赤色グレイスケール値、緑色グレイスケール値及び青色グレイスケール値に従って、スクリーンの各画素の赤色、緑色及び青色の現在自己発光エネルギを得て、各画素の赤色、緑色及び青色の現在自己発光エネルギを発光エネルギ補償ユニット１３へ送信するよう構成される輝度エネルギ取得ユニット１２と、
発光エネルギ補償ユニット１３であって、ディスプレイパラメータ取得ユニット１１から赤色チャネル、緑色チャネル及び青色チャネルの放射エネルギを受信し、発光エネルギ取得ユニット１２から各画素の赤色、緑色及び青色の現在自己発光エネルギを受信し、それらを発光エネルギ取得ユニットへ送信し、各画素の赤色チャネル、緑色チャネル及び青色チャネルの放射エネルギ並びに各画素の赤色、緑色及び青色の現在自己発光エネルギに従って、各画素の赤、緑、青の中で最低グレイスケール値を有する２色の補償に基づく自己発光エネルギを得るよう構成される発光エネルギ補償ユニット１３と、
グレイスケール値補償ユニット１４であって、発光エネルギ補償ユニット１３から、最低グレイスケール値を有する２色の補償に基づく自己発光エネルギを受信し、最低グレイスケール値を有する２色の補償に基づく自己発光エネルギに従って、最低グレイスケール値を有する２色の補償に基づくグレイスケール値を得るよう構成されるグレイスケール値補償ユニット１４。
【００８２】
さらに、図４に示すように、ディスプレイパラメータ取得ユニット１１は、以下を有しても良い：
チャネル読み込みデータ取得サブユニット１１１であって、赤色チャネルのチャネル読み込みデータ、緑色チャネルのチャネル読み込みデータ及び青色チャネルのチャネル読み込みデータを得て、赤色チャネルのチャネル読み込みデータ、緑色チャネルのチャネル読み込みデータ及び青色チャネルのチャネル読み込みデータを放射エネルギ取得サブユニット１１３へ送信するよう構成されるチャネル読み込みデータ取得サブユニット１１１と、
反射率取得サブユニット１１２であって、スクリーン反射率を得て、スクリーン反射率を放射エネルギ取得サブユニット１１３へ送信するよう構成される反射率取得サブユニット１１２と、
放射エネルギ取得サブユニット１１３であって、チャネル読み込みデータ取得サブユニット１１１から赤色チャネルのチャネル読み込みデータを受信し、反射率取得サブユニット１１２からスクリーン反射率を受信し、赤色チャネルのチャネル読み込みデータとスクリーン反射率を乗算することにより、赤色チャネルの放射エネルギを得るよう構成される放射エネルギ取得サブユニット１１３。
【００８３】
ここで、放射エネルギ取得サブユニット１１３は、チャネル読み込みデータ取得サブユニット１１１から緑色チャネルのチャネル読み込みデータを受信し、反射率取得サブユニット１１２からスクリーン反射率を受信し、緑色チャネルのチャネル読み込みデータとスクリーン反射率を乗算することにより、緑色チャネルの放射エネルギを得るよう更に構成される。
【００８４】
放射エネルギ取得サブユニット１１３は、チャネル読み込みデータ取得サブユニット１１１から青色チャネルのチャネル読み込みデータを受信し、反射率取得サブユニット１１２からスクリーン反射率を受信し、青色チャネルのチャネル読み込みデータとスクリーン反射率を乗算することにより、青色チャネルの放射エネルギを得るよう更に構成される。
【００８５】
さらに、図５に示すように、発光エネルギ取得ユニット１２は、以下を有しても良い：
グレイスケール値取得サブユニット１２１であって、スクリーン輝度を得て、スクリーンの各画素の赤色グレイスケール値、緑色グレイスケール値及び青色グレイスケール値を得て、各画素の赤色グレイスケール値、緑色グレイスケール値及び青色グレイスケール値を自己発光エネルギ取得サブユニット１２２へ送信するよう構成される、グレイスケール値取得サブユニット１２１と、
自己発光エネルギ取得サブユニット１２２であって、グレイスケール値取得サブユニット１２１から各画素の赤色グレイスケール値を得て、スクリーン輝度、色グレイスケール値及び色自己発光エネルギのマッピングに従って、赤色グレイスケール値に対応する赤色の現在自己発光エネルギを得るよう構成される自己発光エネルギ取得サブユニット１２２。
【００８６】
ここで、自己発光エネルギ取得サブユニット１２２は、グレイスケール値取得サブユニット１２１から各画素の緑色グレイスケール値を得て、スクリーン輝度、色グレイスケール値及び色自己発光エネルギのマッピングに従って、緑色グレイスケール値に対応する緑色の現在自己発光エネルギを得るよう更に構成される。
【００８７】
自己発光エネルギ取得サブユニット１２２は、グレイスケール値取得サブユニット１２１から各画素の青色グレイスケール値を得て、スクリーン輝度、色グレイスケール値及び色自己発光エネルギのマッピングに従って、青色グレイスケール値に対応する青色の現在自己発光エネルギを得るよう更に構成される。
【００８８】
スクリーン輝度、色グレイスケール値及び色自己発光エネルギのマッピングは、ユーザ端末にプリセットされる。
【００８９】
さらに、図６に示すように、発光エネルギ補償ユニット１３は、特に以下のように構成されても良い：
スクリーンの各画素の赤色グレイスケール値、緑色グレイスケール値及び青色グレイスケール値を比較し、
赤色グレイスケール値が最大である場合、第１の自己発光エネルギの式に従って、補償に基づく緑色自己発光エネルギを得て、第２の自己発光エネルギの式に従って、補償に基づく青色自己発光エネルギを得て、ここで、
第１の自己発光エネルギの式は次式を有する。
【００９０】
【数２８】
2014067034.tif 000030
ここで、Ｇｓ’は、赤色グレイスケール値が最大のときの補償に基づく緑色自己発光エネルギを示す。Ｇｓは、現在緑色自己発光エネルギを示す。Ｒｓは、現在赤色自己発光エネルギを示す。Ｒｒは、赤色チャネルのチャネル読み込みデータを示す。Ｇｒは、緑色チャネルのチャネル読み込みデータを示す。
【００９１】
第２の自己発光エネルギの式は次式を有する。
【００９２】
【数２９】
2014067034.tif 000031
ここで、Ｂｓ’は、赤色グレイスケール値が最大のときの補償に基づく青色自己発光エネルギを示す。Ｂｓは、現在青色自己発光エネルギを示す。Ｇｓは、現在緑色自己発光エネルギを示す。Ｇｒは、緑色チャネルのチャネル読み込みデータを示す。Ｂｒは、青色チャネルのチャネル読み込みデータを示す。
【００９３】
緑色グレイスケール値が最大である場合、第３の自己発光エネルギの式に従って、補償に基づく赤色自己発光エネルギを得て、第４の自己発光エネルギの式に従って、補償に基づく青色自己発光エネルギを得る。
【００９４】
第３の自己発光エネルギの式は次式を有する。
【００９５】
【数３０】
2014067034.tif 000032
ここで、Ｒｓ’は、緑色グレイスケール値が最大のときの補償に基づく赤色自己発光エネルギを示す。Ｒｓは、現在赤色自己発光エネルギを示す。Ｇｓは、現在緑色自己発光エネルギを示す。Ｇｒは、緑色チャネルのチャネル読み込みデータを示す。Ｒｒは、青色チャネルのチャネル読み込みデータを示す。
【００９６】
第４の自己発光エネルギの式は次式を有する。
【００９７】
【数３１】
2014067034.tif 000033
ここで、Ｂｓ’は、緑色グレイスケール値が最大のときの補償に基づく赤色自己発光エネルギを示す。Ｂｓは、現在青色自己発光エネルギを示す。Ｇｓは、現在緑色自己発光エネルギを示す。Ｇｒは、緑色チャネルのチャネル読み込みデータを示す。Ｂｒは、青色チャネルのチャネル読み込みデータを示す。
【００９８】
青色グレイスケール値が最大である場合、第５の自己発光エネルギの式に従って、補償に基づく赤色自己発光エネルギを得て、第６の自己発光エネルギの式に従って、補償に基づく緑色自己発光エネルギを得る。
【００９９】
第５の自己発光エネルギの式は次式を有する。
【０１００】
【数３２】
2014067034.tif 000034
ここで、Ｒｓ’は、緑色グレイスケール値が最大のときの補償に基づく赤色自己発光エネルギを示す。Ｂｓは、現在青色自己発光エネルギを示す。Ｒｓは、現在赤色自己発光エネルギを示す。Ｒｒは、赤色チャネルのチャネル読み込みデータを示す。Ｂｒは、青色チャネルのチャネル読み込みデータを示す。
【０１０１】
第６の自己発光エネルギの式は次式を有する。
【０１０２】
【数３３】
2014067034.tif 000035
ここで、Ｒｓ’は、青色グレイスケール値が最大のときの補償に基づく赤色自己発光エネルギを示す。Ｂｓは、現在青色自己発光エネルギを示す。Ｇｓは、現在緑色自己発光エネルギを示す。Ｇｒは、緑色チャネルのチャネル読み込みデータを示す。Ｂｒは、青色チャネルのチャネル読み込みデータを示す。
【０１０３】
さらに、図７に示すように、グレイスケール補償ユニットは、特に以下のように構成されても良い：
赤色グレイスケール値が最大である場合、補償に基づく緑色自己発光エネルギに従って及び緑色グレイスケールの式を用いることにより、補償に基づく緑色グレイスケール値を得て、補償に基づく青色自己発光エネルギに従って及び青色グレイスケールの式を用いることにより、補償に基づく青色グレイスケール値を得て、
緑色グレイスケール値が最大である場合、補償に基づく赤色自己発光エネルギに従って及び赤色グレイスケールの式を用いることにより、補償に基づく赤色グレイスケール値を得て、補償に基づく青色自己発光エネルギに従って及び青色グレイスケールの式を用いることにより、補償に基づく青色グレイスケール値を得て、
青色グレイスケール値が最大である場合、補償に基づく赤色自己発光エネルギに従って及び赤色グレイスケールの式を用いることにより、補償に基づく赤色グレイスケール値を得て、補償に基づく緑色自己発光エネルギに従って及び緑色グレイスケールの式を用いることにより、補償に基づく緑色グレイスケール値を得る。
【０１０４】
赤色グレイスケールの式は、次の通りである。
【０１０５】
【数３４】
2014067034.tif 000036
ここで、Ｒｓ’は、補償に基づく赤色自己発光エネルギを示す。Ｒｓは、赤色グレイスケール値を示す。Ｒ’は、補償に基づく赤色グレイスケール値を示す。
【０１０６】
緑色グレイスケールの式は、次の通りである。
【０１０７】
【数３５】
2014067034.tif 000037
ここで、Ｇｓ’は、補償に基づく緑色自己発光エネルギを示す。Ｇｓは、緑色グレイスケール値を示す。Ｇ’は、補償に基づく緑色グレイスケール値を示す。
【０１０８】
青色グレイスケールの式は、次の通りである。
【０１０９】
【数３６】
2014067034.tif 000038
ここで、Ｂｓ’は、補償に基づく青色自己発光エネルギを示す。Ｂｓは、青色グレイスケール値を示す。Ｂ’は、補償に基づく青色グレイスケール値を示す。
【０１１０】
補償に基づく赤、緑、青色のグレイスケール値を得た後、補償に基づくグレイスケール値が、スクリーンディスプレイ制御部へ送信される。これにより、スクリーン制御部は、補償に基づくグレイスケール値に従って対応する色を表示する、
本発明の一実施形態は、ユーザ端末を提供する。当該ユーザ端末において、赤色、緑色及び青色のチャネル放射エネルギ、並びにスクリーン反射率が得られ、スクリーンの各画素の赤色、緑色及び青色の現在自己発光エネルギが得られ、次に、赤色、緑色及び青色のチャネル放射エネルギと、各画素の赤色、緑色及び青色の現在自己発光エネルギとに従って、各画素の最低グレイスケール値を有する２色の補償に基づくグレイスケール値が得られる。これにより、スクリーンに表示されたコンテンツの色は、外部光強度に従って補正され、それにより、コンテンツの色歪みを防ぎ、ユーザ経験を向上させることができる。
【０１１１】
本発明の一実施形態は、送信機２４、受信機２５及びバス２６を有するユーザ端末２を更に提供する。図６に示すように、ユーザ端末２は以下を含む：
赤色チャネル、緑色チャネル及び青色チャネルのチャネル読み込みデータを得るよう構成される色チャネルセンサ２１と、
赤色チャネル、緑色チャネル及び青色チャネルのチャネル読み込みデータ並びにスクリーン反射率に従って、赤色チャネル、緑色チャネル及び青色チャネルの放射エネルギを得るよう構成されるプロセッサ２２。
【０１１２】
ここで、プロセッサ２２は、スクリーン輝度、並びにスクリーンの各画素の赤色グレイスケール値、緑色グレイスケール値及び青色グレイスケール値に従って、スクリーンの各画素の赤色、緑色及び青色の現在自己発光エネルギを得るよう更に構成される。
【０１１３】
プロセッサ２２は、赤色チャネル、緑色チャネル及び青色チャネルの放射エネルギ、並びに各画素の赤色、緑色及び青色の現在自己発光エネルギに従って、各画素の赤色、緑色及び青色の中で最低グレイスケール値を有する２つの色の補償に基づく自己発光エネルギを得るよう更に構成される。
【０１１４】
スクリーン輝度、色グレイスケール値及び色自己発光エネルギのマッピングを格納するよう構成されるメモリ２３。
【０１１５】
さらに、赤色チャネル、緑色チャネル及び青色チャネルの放射エネルギを得るとき、プロセッサ２２は、特に次のように構成されても良い：
赤色チャネルのチャネル読み込みデータとスクリーン反射率とを乗算することにより、赤色チャネルの放射エネルギを得て、
緑色チャネルのチャネル読み込みデータとスクリーン反射率とを乗算することにより、緑色チャネルの放射エネルギを得て、
青色チャネルのチャネル読み込みデータとスクリーン反射率とを乗算することにより、青色チャネルの放射エネルギを得る。
【０１１６】
さらに、スクリーンの各画素の赤色、緑色及び青色の自己発光エネルギを得るとき、プロセッサ２２は、特に次のように更に構成されても良い：
スクリーン輝度を得て、スクリーンの各画素の赤色グレイスケール値、緑色グレイスケール値及び青色グレイスケール値を得て、
スクリーン輝度、色グレイスケール値及び色自己発光エネルギのマッピングに従って、赤色グレイスケール値と関係する赤色の自己発光エネルギを得て、
スクリーン輝度、色グレイスケール値及び色自己発光エネルギのマッピングに従って、緑色グレイスケール値と関係する緑色の自己発光エネルギを得て、
スクリーン輝度、色グレイスケール値及び色自己発光エネルギのマッピングに従って、青色グレイスケール値と関係する青色の自己発光エネルギを得る。
【０１１７】
スクリーン輝度、色グレイスケール値及び色自己発光エネルギのマッピングは、ユーザ端末にプリセットされる。
【０１１８】
さらに、各画素の赤色、緑色及び青色の中で最低グレイスケール値を有する２色の補償に基づく自己発光エネルギを得るとき、プロセッサ２２は、特に次のように更に構成されても良い：
スクリーンの各画素の赤色グレイスケール値、緑色グレイスケール値及び青色グレイスケール値を比較し、
赤色グレイスケール値が最大である場合、第１の自己発光エネルギの式に従って、補償に基づく緑色自己発光エネルギを得て、第２の自己発光エネルギの式に従って、補償に基づく青色自己発光エネルギを得て、ここで、
第１の自己発光エネルギの式は次式を有する。
【０１１９】
【数３７】
2014067034.tif 000039
ここで、Ｇｓ’は、赤色グレイスケール値が最大のときの補償に基づく緑色自己発光エネルギを示す。Ｇｓは、現在緑色自己発光エネルギを示す。Ｒｓは、現在赤色自己発光エネルギを示す。Ｒｒは、赤色チャネルのチャネル読み込みデータを示す。Ｇｒは、緑色チャネルのチャネル読み込みデータを示す。
【０１２０】
第２の自己発光エネルギの式は次式を有する。
【０１２１】
【数３８】
2014067034.tif 000040
ここで、Ｂｓ’は、赤色グレイスケール値が最大のときの補償に基づく青色自己発光エネルギを示す。Ｂｓは、現在青色自己発光エネルギを示す。Ｇｓは、現在緑色自己発光エネルギを示す。Ｇｒは、緑色チャネルのチャネル読み込みデータを示す。Ｂｒは、青色チャネルのチャネル読み込みデータを示す。
【０１２２】
緑色グレイスケール値が最大である場合、第３の自己発光エネルギの式に従って、補償に基づく赤色自己発光エネルギを得て、第４の自己発光エネルギの式に従って、補償に基づく青色自己発光エネルギを得る。
【０１２３】
第３の自己発光エネルギの式は次式を有する。
【０１２４】
【数３９】
2014067034.tif 000041
ここで、Ｒｓ’は、緑色グレイスケール値が最大のときの補償に基づく赤色自己発光エネルギを示す。Ｒｓは、現在赤色自己発光エネルギを示す。Ｇｓは、現在緑色自己発光エネルギを示す。Ｇｒは、緑色チャネルのチャネル読み込みデータを示す。Ｒｒは、青色チャネルのチャネル読み込みデータを示す。
【０１２５】
第４の自己発光エネルギの式は次式を有する。
【０１２６】
【数４０】
2014067034.tif 000042
ここで、Ｂｓ’は、緑色グレイスケール値が最大のときの補償に基づく青色自己発光エネルギを示す。Ｂｓは、現在青色自己発光エネルギを示す。Ｇｓは、現在緑色自己発光エネルギを示す。Ｇｒは、緑色チャネルのチャネル読み込みデータを示す。Ｂｒは、青色チャネルのチャネル読み込みデータを示す。
【０１２７】
青色グレイスケール値が最大である場合、第５の自己発光エネルギの式に従って、補償に基づく赤色自己発光エネルギを得て、第６の自己発光エネルギの式に従って、補償に基づく緑色自己発光エネルギを得る。
【０１２８】
第５の自己発光エネルギの式は次式を有する。
【０１２９】
【数４１】
2014067034.tif 000043
ここで、Ｒｓ’は、青色グレイスケール値が最大のときの補償に基づく赤色自己発光エネルギを示す。Ｂｓは、現在青色自己発光エネルギを示す。Ｒｓは、現在赤色自己発光エネルギを示す。Ｒｒは、赤色チャネルのチャネル読み込みデータを示す。Ｂｒは、青色チャネルのチャネル読み込みデータを示す。
【０１３０】
第６の自己発光エネルギの式は次式を有する。
【０１３１】
【数４２】
2014067034.tif 000044
ここで、Ｇｓ’は、青色グレイスケール値が最大のときの補償に基づく緑色自己発光エネルギを示す。Ｂｓは、現在青色自己発光エネルギを示す。Ｇｓは、現在緑色自己発光エネルギを示す。Ｇｒは、緑色チャネルのチャネル読み込みデータを示す。Ｂｒは、青色チャネルのチャネル読み込みデータを示す。
【０１３２】
さらに、最低グレイスケール値を有する２色の補償に基づく自己発光エネルギに従って、最低グレイスケール値を有する２色の補償に基づくグレイスケール値を得るとき、プロセッサ２２は、特に以下のように更に構成されても良い：
赤色グレイスケール値が最大である場合、補償に基づく緑色自己発光エネルギに従って及び緑色グレイスケールの式を用いることにより、補償に基づく緑色グレイスケール値を得て、補償に基づく青色自己発光エネルギに従って及び青色グレイスケールの式を用いることにより、補償に基づく青色グレイスケール値を得て、
緑色グレイスケール値が最大である場合、補償に基づく赤色自己発光エネルギに従って及び赤色グレイスケールの式を用いることにより、補償に基づく赤色グレイスケール値を得て、補償に基づく青色自己発光エネルギに従って及び青色グレイスケールの式を用いることにより、補償に基づく青色グレイスケール値を得て、
青色グレイスケール値が最大である場合、補償に基づく赤色自己発光エネルギに従って及び赤色グレイスケールの式を用いることにより、補償に基づく赤色グレイスケール値を得て、補償に基づく緑色自己発光エネルギに従って及び緑色グレイスケールの式を用いることにより、補償に基づく緑色グレイスケール値を得る。
【０１３３】
赤色グレイスケールの式は、次の通りである。
【０１３４】
【数４３】
2014067034.tif 000045
ここで、Ｒｓ’は、補償に基づく赤色自己発光エネルギを示す。Ｒｓは、赤色グレイスケール値を示す。Ｒ’は、補償に基づく赤色グレイスケール値を示す。
【０１３５】
緑色グレイスケールの式は、次の通りである。
【０１３６】
【数４４】
2014067034.tif 000046
ここで、Ｇｓ’は、補償に基づく緑色自己発光エネルギを示す。Ｇｓは、緑色グレイスケール値を示す。Ｇ’は、補償に基づく緑色グレイスケール値を示す。
【０１３７】
青色グレイスケールの式は、次の通りである。
【０１３８】
【数４５】
2014067034.tif 000047
ここで、Ｂｓ’は、補償に基づく青色自己発光エネルギを示す。Ｂｓは、青色グレイスケール値を示す。Ｂ’は、補償に基づく青色グレイスケール値を示す。
【０１３９】
補償に基づく赤、緑、青色のグレイスケール値を得た後、ユーザ端末は、補償に基づくグレイスケール値をスクリーンディスプレイ制御部へ送信する。これにより、スクリーン制御部は、補償に基づくグレイスケール値に従って対応する色を表示する、
本発明の一実施形態は、ユーザ端末を提供する。当該ユーザ端末において、赤色、緑色及び青色のチャネル放射エネルギ、並びにスクリーン反射率が得られ、スクリーンの各画素の赤色、緑色及び青色の現在自己発光エネルギが得られ、次に、赤色、緑色及び青色のチャネル放射エネルギと、各画素の赤色、緑色及び青色の現在自己発光エネルギとに従って、各画素の最低グレイスケール値を有する２色の補償に基づくグレイスケール値が得られる。これにより、スクリーンに表示されたコンテンツの色は、外部光強度に従って補正され、それにより、コンテンツの色歪みを防ぎ、ユーザ経験を向上させることができる。
【０１４０】
本願により提供される実施形態では、理解されるべきことに、開示の端末及び方法は他の方法で実装されても良い。例えば、記載した端末の実施形態は単なる例である。例えば、ユニットの分割は、単なる論理的機能の区分であり、実際の実装では他の区分であっても良い。例えば、複数のユニット又はコンポーネントは、別のシステムに結合又は統合されても良い。或いは、幾つかの機能は無視されるか又は実行されなくても良い。さらに、表示した又は議論した相互結合又は直接結合又は通信接続は、幾つかのインタフェースを通じて実装されても良い。装置又はユニット間の間接結合又は通信接続は、電子的、機械的又は他の形式で実装されても良い。
【０１４１】
さらに、本発明の実施形態における機能ユニットは、１つの処理ユニットに統合されても良く、或いは各ユニットが物理的に単独で存在しても良く、或いは２以上のユニットが１つのユニットに統合されても良い。統合されたユニットは、ハードウェアを通じて実装されても良く、又はハードウェアにソフトウェア機能モージュールを加えた形式で実装されても良い。
【０１４２】
ソフトウェア機能ユニットの形式で実装された統合されたユニットは、コンピュータ可読記憶媒体に格納されても良い。ソフトウェア機能ユニットは、記憶媒体に格納され、本発明の実施形態による方法のステップを実行するようコンピュータ機器（例えば、パーソナルコンピュータ、サーバ又はネットワーク機器）に命じるために用いられる幾つかの命令を有しても良い。記憶媒体は、ＵＳＢフラッシュディスク、取り外し可能ハードディスク、読み出し専用メモリ（Read-Only  Memory：ROM）、ランダムアクセスメモリ（Random  Access  Memory：RAM）、磁気ディスク又は光ディスクのような、プログラムコードを格納可能な任意の媒体を有する。
【０１４３】
上述の説明は、本発明の単なる特定の実施形態であり、本発明の保護範囲を制限するものではない。本発明で開示された技術範囲内にある、当業者により直ちに考案される変形又は置換は、本発明の保護範囲に包含される。したがって、本発明の保護範囲は、特許請求の範囲に従う。
【符号の説明】
【０１４４】
１  ユーザ端末
１１  ディスプレイパラメータ取得ユニット
１１１  チャネル読み込みデータ取得サブユニット
１１２  反射率取得サブユニット
１１３  放射エネルギ取得サブユニット
１２  発光エネルギ取得ユニット
１２１  グレイスケール値取得サブユニット
１２２  自己発光エネルギ取得サブユニット
１３  発光エネルギ補償ユニット
１４  グレイスケール値補償ユニット
【図１】
2014067034.tif 000066
【図２】
2014067034.tif 000067
【図３】
2014067034.tif 000068
【図４】
2014067034.tif 000069
【図５】
2014067034.tif 000070
【図６】
2014067034.tif 000071